(57)【特許請求の範囲】
【請求項１】
縫合糸巻取りスタイラスであって、
上面と、下面と、対向する前方側面及び後方側面とを有するベース部材と、
前記ベースに旋回式で装着されたスタイラス部材であって、近位端部と、遠位端部と、上面と、下面と、を有するスタイラス部材と、
前記スタイラス部材の前記遠位端部に装着されたスタイラスヘッド部材と、
前記スタイラス部材と係合するための、前記ベース部材と結合された付勢要素と、を含む、縫合糸巻取りスタイラス。
【請求項２】
前記縫合糸巻取りスタイラスは軸受けを更に含む、請求項１に記載の縫合糸巻取りスタイラス。
【請求項３】
前記付勢要素は圧縮ばねを含む、請求項１に記載の縫合糸巻取りスタイラス。
【請求項４】
前記付勢部材は、前記スタイラス部材の前記下面と係合するための先端部材を更に含む、請求項３に記載の縫合糸巻取りスタイラス。
【請求項５】
前記スタイラスヘッド部材は、ある間隙を置いて分離されたノーズ部材とヒール部材とを含む、請求項１に記載の縫合糸巻取りスタイラス。
【請求項６】
縫合糸巻取り組立体であって、
巻取りチャネルを有する縫合糸トレーパッケージを受容するためのネスト部材と、
巻取りヘッドと、
前記巻取りヘッドと係合する縫合糸巻取りスタイラスであって、
上面と、下面と、対向する前方側面及び後方側面とを有するベース部材と、
前記ベース部材に旋回式で装着されたスタイラス部材であって、近位端部と、遠位端部と、上面と、下面と、を有するスタイラス部材と、
前記スタイラス部材と係合するための、前記ベース部材と結合された付勢要素と、を含む、縫合糸巻取りスタイラスと、を含む、縫合糸巻取り組立体。
【請求項７】
前記縫合糸巻取りスタイラスは軸受けを更に含む、請求項６に記載の縫合糸巻取り組立体。
【請求項８】
前記付勢要素は圧縮ばねを含む、請求項６に記載の縫合糸巻取り組立体。
【請求項９】
前記付勢部材は、前記スタイラス部材の前記下面と係合するための先端部材を更に含む、請求項８に記載の縫合糸巻取り組立体。
【請求項１０】
前記縫合糸巻取りスタイラスは、前記スタイラス部材の前記遠位端部と結合されたスタイラスヘッド部材を更に含む、請求項６に記載の縫合糸巻取り組立体。
【請求項１１】
前記スタイラスヘッド部材は、ある間隙を置いて分離されたノーズ部材とヒール部材とを含む、請求項１０に記載の縫合糸巻取り組立体。
【請求項１２】
縫合糸トレーパッケージの中に縫合糸を巻き取る方法であって、
ネスト部材の中に縫合糸チャネルを有する縫合糸トレーパッケージを装着することと、
前記縫合糸チャネルの中に縫合糸巻取りスタイラスの一区間を挿入することであって、前記縫合糸巻取りスタイラスは、
上面と、下面と、対向する前方側面及び後方側面とを有するベース部材と、
前記ベース部材に旋回式で装着されたスタイラス部材であって、近位端部と、遠位端部と、上面と、下面とを有するスタイラス部材と、
前記スタイラス部材と係合するための、前記ベース部材と結合された付勢要素と、を含む、ことと、
巻取りヘッドに前記ネスト部材を係合させて、前記ネスト部材及び前記縫合糸トレーパッケージを前記縫合糸巻取りスタイラスに対して回転させ、それによって縫合糸が前記縫合糸チャネルの中に巻き取られるようにすることと、を含む、方法。
【請求項１３】
前記縫合糸巻取りスタイラスは軸受けを更に含む、請求項１２に記載の方法。
【請求項１４】
前記付勢要素は圧縮ばねを含む、請求項１２に記載の方法。
【請求項１５】
前記付勢部材は、前記スタイラス部材の前記下面と係合するための先端部材を更に含む、請求項１４に記載の方法。
【請求項１６】
前記縫合糸巻取りスタイラスは、前記スタイラス部材の前記遠位端部と結合されたスタイラスヘッド部材を更に含む、請求項１２に記載の方法。
【請求項１７】
前記スタイラスヘッド部材は、ある間隙を置いて分離されたノーズ部材とヒール部材とを含む、請求項１６に記載の方法。
【発明の詳細な説明】
【技術分野】
【０００１】
本発明が関係する技術分野は、外科用縫合針及び縫合糸であり、より具体的には、縫合糸及び付属の縫合針を縫合パッケージの中に巻き取るための装置である。
【背景技術】
【０００２】
外科用縫合針及び付属の縫合糸は当該技術分野で周知である。外科用縫合針及び縫合糸は、縫合針と縫合糸を外科医に引き渡すために様々なパッケージにパッケージングされる。パッケージは、取り扱い、滅菌、出荷及び保管の間における縫合針及び縫合糸の装填の容易性、小分けの容易性、並びに保護性を含むいくつかの重要な特性を有することが必要である。縫合針と縫合糸の組み合わせをパッケージングするために、縫合糸を受容するための周辺チャネルを有するトレー型パッケージが広く使用されている。トレーパッケージはいくつかの利点を有している。例えば、それらのパッケージは、製造が比較的安価であり、典型的には生体適合性の不活性高分子材料から成形される。トラックパッケージは、処置、滅菌、出荷及び保管の間に優れた保護性を縫合糸にもたらす。それらのパッケージは、外科スタッフによって容易に取り扱われ、縫合糸は、絡まり又はロックアップを伴うことなく一貫した様式でトレーパッケージから容易に引き出される。トレーパッケージの１つの特別な利点は、高速の自動パッケージングプロセスにおける縫合糸装填の容易性である。トレーパッケージの例は、米国特許第６，１３５，２７２号、同第６，０４７，８１５号、同第６，６４４，４６９号、及び同第８，０１１，４９９号に開示されている。トレーパッケージは、典型的には、縫合糸がトラックから外に移動するのを防止するためにトラックの上部を被覆する可動ドア又は部材を伴って作製される。
【０００３】
外科用縫合糸は、従来の巻取り治具を使用することによってトレーパッケージにパッケージングされる。治具は、典型的には、装着ピンを備えた回転可能なベースを有する。トレーパッケージは、トレーパッケージの上部が上方を向くように、そのベース及びピンに装着される。次いで、巻取りヘッドに装着された巻取りスタイラスは、トレーが回転するとき、ある長さの縫合糸を縫合糸トレーのトラックの中へと下方に導き、そのため、縫合糸は均一な様式でトラックに配置される。そのような巻取り治具及びスタイラスの例は、米国特許第５，６６０，０２４号、同第５，６６４，４０４号、同第６，８０４，９３７号、及び同第６，４６３，７１９号に開示されている。
【０００４】
従来の巻取り治具及びスタイラスは、使用目的に対して適切に機能するが、そのような巻取り治具に関連付けられる欠点も存在し得る。例えば、従来の巻取り治具におけるスタイラスは、巻取り治具に固定的に装着されるが、このためトレーパッケージの寸法における変動が許容されず、結果として、場合によってはパッケージのトラックに縫合糸が不適切に配置されることになる。加えて、スタイラスは、典型的には、軸受けを介して巻取りヘッドと係合される。軸受けは時間を経て摩耗するので、軸受け摩耗は結果として、装着組立体におけるスタイラスの緩みを生じることがあり、この結果、縫合糸の配置が不適切になることもある。
【発明の概要】
【発明が解決しようとする課題】
【０００５】
当該技術分野において、従来技術の欠点を克服する自動縫合糸トレー巻取り機で使用するための新規な巻取りスタイラスが求められている。
【課題を解決するための手段】
【０００６】
したがって、新規な適応型縫合糸巻取りスタイラスが開示される。縫合糸巻取りスタイラスはベース部材を有する。ベース部材は、上面と、下面と、対向する前方側面及び後方側面と、を有する。スタイラス部材がベース部材に旋回式で装着される。スタイラス部材は、近位端部と、遠位端部と、上面と、下面と、を有する。スタイラス部材と係合するための付勢要素がベース部材と結合される。
【０００７】
本発明のもう１つの態様は縫合糸巻取り組立体である。縫合糸巻取り組立体は、巻取りチャネルを有する縫合糸トレーパッケージを受容するためのネスト部材を有する。この組立体は、ネスト及びトレーパッケージと回転可能に係合するための巻取りヘッドを有する。この組立体はまた、巻取りヘッド及びトレーパッケージと係合するための新規な適応型縫合糸巻取りスタイラスを有する。巻取りスタイラスはベース部材を有する。ベース部材は、上面と、下面と、対向する前方側面及び後方側面と、を有する。スタイラス部材がベース部材に旋回式で装着される。スタイラス部材は、近位端部と、遠位端部と、上面と、下面と、を有する。スタイラス部材と係合するための付勢要素がベース部材と結合される。
【０００８】
本発明の更に別の態様は、上述した縫合糸巻取りスタイラス及び縫合糸巻取り組立体を使用して、縫合糸トレーパッケージの縫合糸チャネルの中に縫合糸を巻き取る方法である。
【０００９】
本発明のこれら及びその他の態様並びに利点は、以下の説明及び添付の図面からより明らかとなるであろう。
【図面の簡単な説明】
【００１０】
【図１】巻取りネストに装着された縫合糸トレーパッケージの斜視図であり、外科用縫合針が縫合針パークに装着されていることが分かり、付属の外科用縫合糸はパッケージのチャネルに巻き取られていることが分かる。
【図２Ａ】本発明の巻取りスタイラスの斜視図である。
【図２Ｂ】図２Ａの巻取りスタイラスの背面図である。
【図２Ｃ】図２Ａの巻取りスタイラスの正面図である。
【図２Ｄ】図２Ａの巻取りスタイラスの右側面図である。
【図２Ｅ】図２Ａの巻取りスタイラスの左側面図である。
【図２Ｆ】図２Ａの巻取りスタイラスの底面図である。
【図２Ｇ】線Ａ−Ａに沿った図２Ｄの巻取りスタイラスの横断面図である。
【図２Ｈ】図２Ａの巻取りスタイラスの分解斜視図である。
【図３】ネスト部材及びトレーパッケージと係合する巻取りヘッドの部分斜視図であり、本発明の新規な巻取りスタイラスが巻取りヘッド及びトレーパッケージのトラックと係合している。
【図４】縫合糸トレーパッケージの巻取りトラックを被覆するドアと係合する本発明の巻取りスタイラスの斜視図であり、トレーパッケージは巻取りヘッド及びネスト部材によって係合されている。トレーパッケージは巻取りヘッド及びネスト部材によって係合されている。
【図５】巻取りヘッドの底面斜視図であり、本発明の新規な巻取りスタイラスは、巻取りスタイラスの底面が巻取りヘッドに向いた状態で、巻取りヘッドの内部トラック壁と係合している。
【図６】図５の巻取りヘッドに装着され、巻取りネストのトレーパッケージと係合する、本発明の新規な巻取りスタイラスの斜視図である。
【図７】本発明の巻取りスタイラス、図６の巻取りヘッド、トレーパッケージ、及び巻取りネストの分解斜視図である。
【発明を実施するための形態】
【００１１】
本発明の巻取り治具は、パッケージの縫合糸チャネルの上に装着されたドアを有するトレー縫合糸パッケージと共に自動縫合糸巻取り機において使用され得る。治具（組立体）は、限定するものではないが、アルミニウム６０６１、３１６−ステンレス鋼、Ｍ２高速鋼、及び合金鋼などを含む従来の材料、並びにそれらの組み合わせから作製され得る。
【００１２】
図１を参照すると、ネスト部材１０及び縫合糸トレーパッケージ４０が示されている。ネスト部材１０は、外周１２と内側の隆起プラットフォーム区間２０とを有していることが分かる。ネスト部材１０はまた、下面トラッキングピン溝１４と径方向トラッキングピン溝１８とを有していることが分かる。プラットフォーム区間部材２０は、長円形の外周２２と上部表面２４を有していることが分かる。上部表面２４の端部から上向きに巻取りピン２６が延びている。縫合糸トレーパッケージ４０は、外周壁４２と内壁４４とを有していることが分かる。パッケージ４０はまた、上面４７を有するベース又はフロア部材４６を有していることが分かる。外壁４２と内壁４４との間にある上面４７の区間は、縫合糸巻取りチャネル４８を形成していることが分かる。内壁４４の上部から外向きに、固定端部５２と自由端部５４とを有する片持ちドア５０が延びている。ドア５０は、上向き又は下向きの力に応答して自由端部５４を中心として自在に回転する。静止位置において、ドア５０は巻取りチャネル４８を被覆することが分かる。上向きの回転位置において、ドア５０は、巻取りチャネル４８にアクセスすることを可能にする。ベース部材４６を通じて開口部６０が延びており、開口部６０は巻取りピン２６を受容するように整列されている。縫合針パーク部材６５は、上面４７から上に延びていることが分かり、また外科用縫合糸７０の遠位端部７１に装着された外科用縫合糸８０を受容するように構成されている。外科用縫合糸７０は、巻取りチャネル４８に収容された近位端部（図示せず）を有する。外科用縫合糸７０は、縫合糸巻取りチャネル４８の中に巻き取られているいくつかのコイル７５を有することが分かる。
【００１３】
本発明のスタイラス巻取り治具１００が図２Ａ〜２Ｈに示されている。スタイラス巻取り治具１００は、スタイラス装着ベース部材１１０を有していることが分かる。スタイラス装着ベース部材１１０は、上面１２０と下面１２５とを有していることが分かる。スタイラス装着ベース部材１１０はまた、正面側１１２と、背面側１１４と、第１の側面側１１６と、反対側の第２の側面側１１８と、を有している。軸受け装着通路１１５がスタイラス装着ベース部材１１０を通じて延びていることが分かる。スタイラス装着ベース部材１１０は、上面１２０上にスタイラス部材装着ノッチ１３０を有していることが分かる。ノッチ１３０は、側方の斜行側部１３５と、上に延び側部１３５に交差する遠位プラットフォーム区間１４０とによって境界を画されていることが分かる。側部１３５は、側部１３５を通じて延びるピン装着ホール１３７を有していることが分かる。スタイラス装着小ピン１４２は、プラットフォーム区間１４０から上に延びていることが分かる。通路１５０は、プラットフォーム区間１４０を通じて延び、下面１２５から上面１２０を通じて延びていることが分かる。通路１５０に、圧縮ばね１５２及びスタイラス装着先端部１５５が収容されている。ばね１５２及び装着先端部１５５は、押しねじ１５８によって通路１５０に維持されている。ばね１５２は圧縮ばねであることが分かるが、他の従来の付勢部材が使用されてもよいことは理解されよう。加えて、ばね１５２は、スタイラス装着ベース部材１１０に装着されて示されているが、それに代わって、付勢部材が、例えば表面１２０の上に多様な方式で装着され得る。背面側１１４から後方に、開口部１６５を有する軸受け装着イヤー１６０が延びている。装着イヤー１７０は側面側１１６から側方に延びていることが分かり、開口部１７５を有していることが分かる。スタイラス部材１８０は、旋回ピン１３９によってノッチ１３０に装着されていることが分かる。旋回ピン１３９は、ホール１３７及びプレート部材２１０のピン受容開口部２１４を通じて延びていることが分かる。スタイラス部材１８０は、遠位端部１９２と近位端部１９４とを有する細長部材１９０を有していることが分かる。細長部材１９０は、上面１９６と下面１９８とを有している。細長部材１９０の遠位端部１９２に、スタイラスヘッド２００が装着されている。ヘッド２００は、間隙２０５を置いて分離された、斜行する上向きに延びる第１のノーズ部材２０２と上向きに延びる第２のヒール部材２０８とを有していることが分かる。細長部材１９０の近位端部１９４から、背面装着プレート部材２１０が延びている。プレート部材２１０は、軸方向通路２１２と、通路２１２と連通する対向するピン受容開口部２１４と、を有していることが分かる。また、スタイラス装着ベース部材１１０に、ベース部材１１０の開口部１４８に収容されたスタイラス装着ブッシング１４９が収容されている。底部１２５には、キャビティ１２６が含められている。くぼみ先の押しねじ１２７が、ねじ山付き経路１２８に係合され、六角ナット１２９で固定される。押しねじ１２７は、隆起したプラットフォーム区間１４０における装着ベース部材１１０の上部表面１２０に対するスタイラス部材１８０の高さを調節するために使用される。
【００１４】
ここで図３〜６を参照すると、新規な巻取りスタイラス１００が巻取りヘッド３００に装着されていることが分かる。巻取りヘッド３００は、巻取りヘッド機械フレーム４００に装着されている。巻取りヘッドは、ピン受容開口部３０５を含んだ下向きに延びる区間３０２を有している。巻取りヘッド３００は、カムフォロア軸受け３２０によって係合される上部外側カムトラック３１０を有していることが分かる。軸受け３２０は、開口部１１５に装着されていることが分かる。図５で分かるように、スタイラス１００は、内部トラック壁３３５及び内向きに延びるカム部材３３７と係合する軸受け３４０及び３４５によって、ヘッド３００の内部区間３３０において係合される。軸受け３４０は、開口部１７５においてスタイラス装着ベース部材１１０の下面１２５から装着されていることが分かり、軸受け３４５は、スタイラスベース部材１１０の開口部１４７において下面１２５から装着されていることが分かる。拘束ロッド３５０は、一方の端部３５２をイヤー１６０の通路１６５に装着されていることが分かり、ロッド３５８のもう一方の端部は、巻取りヘッド機械フレーム３０５に装着されている。図３及び６で分かるように、スタイラスフォロア部材３７０は、ネスト部材１０に移動可能に装着されていることが分かる。フォロア部材３７０は、ネスト部材１０の溝１４に乗りかかる、下向きに延びる小ピン３８２と、ネスト部材１０の溝１８に乗りかかる、内向きに延びる小ピン３８６と、を有している。フォロア部材３７０はまた、スタイラス装着ベース部材１１０のブッシング１４８及び開口部１４９の中に挿入される、上向きに延びる小ピン部材３９０を有していることが分かる。フォロア部材３７０はまた、スタイラス装着小ピン１４２を受容するための上部開口部３７５を有していることが分かる。
【００１５】
縫合糸巻取り組立体と共に本発明の巻取りスタイラス１００を使用してトレーパッケージのトレーの中に縫合糸を巻き取るために、トレーパッケージ４０は、巻取りピン２６が開口部６０に係合されるように、ネスト部材１０のプラットフォーム２０上に置かれる。次いで外科用縫合針が縫合針パーク部材６５の間に装着される。付属の縫合糸７０の遠位端部７１が次いで、巻取りのための準備において、トレーパッケージ４０から引き出される。次に、本発明の巻取りヘッド３００及び装着されたスタイラス巻取り治具１００は、パッケージ４０及びネスト部材１０と係合するように下降される。下降された係合位置において、巻取りピン２６は、嵌合するピン受容側開口部３０５によって係合され、スタイラス装着小ピン１４２は、フォロア部材３７０の開口部３７５と係合しており、一方で、フォロア部材３７０の小ピン部材３９０は、スタイラス装着ベース部材１１０の開口部１４９のブッシング１４８によって係合される。加えて、スタイラス部材１８０のヘッド２００は、ドア５０を開閉する位置において、トレーパッケージ４０のチャネル４８に係合される。
【００１６】
図３で分かるように、巻取りヘッド３００は、トレーパッケージ４０を含んだネスト部材１０と係合している。スタイラスヘッド２００は、トレーパッケージ４０のチャネル４８に係合されていることが分かる。縫合糸巻取りヘッド３００は、ヘッド３００を回転させ、それによってパッケージ４０及びネスト部材１０を回転させることによって縫合糸巻取りを開始するために、準備位置にある。図４で分かるように、コイル７５がチャネル４８に形成されているとき、この回転により、スタイラスヘッド２００はドア５０を開閉して、縫合糸７０の自由端部の挿入を可能にするようになる。
【００１７】
本発明の新規な巻取りスタイラス１００は、パッケージにおける不整を補正する一方で、一貫した方式で、パッケージ４０などのトレーパッケージのチャネル４８などのチャネルに縫合糸を巻き取ることを可能にし、それによってスタイラス装着部材１１０に装着された軸受けの寿命を引き延ばす。旋回式で装着されたばね付勢スタイラス部材を有する本発明の新規なスタイラスの他の利点として、製造プロセス及び材料の変化によって生じるトレーパッケージ寸法の正規変動を補正する一方で、一貫した方式でトレーパッケージのトラックに縫合糸を巻き取ることが可能であることが挙げられる。この新規な巻取りスタイラスはまた、軸受けの摩耗によって生じる移動を補正し、軸受けを交換するために停止するまで、巻取り装置をより長期間、稼働させることを可能にする。これらの利点は、以下の方式で本発明の新規な巻取りスタイラスによって達成される。本発明の画期的な適応型スタイラス１００は、トレーパッケージ４０のチャネル４８の下部表面との接触を弾性的に維持して、信頼できる巻取りプロセス及び一貫した動作を確実にする。他の利点としては、誤った巻取り及び縫合糸の損傷の低減に基づいた品質改善（５０％超の改善）による工程能力の向上、並びに、稼働率及び歩留まりの向上による設備総合効率（ＯＥＥ）の改善が挙げられる。本発明の新規な適応型スタイラス治具は、機械的調整及び保守間隔を低減することから、機械の稼働率が向上する。また、本発明の治具及び方法は、誤った巻取り及び縫合糸の損傷欠陥の低減によって、巻取りの歩留まりを高める。本発明の適応型スタイラス治具はまた、とりわけ使用中に必要となる調整及び交換をより少なくする結果として得られる労働力及びコストの低減を通じて、コスト改善を推進する。
【００１８】
以上、本発明をその詳細な実施形態について図示及び説明してきたが、当業者であれば、特許請求される発明の趣旨及び範囲から逸脱することなく本発明の形態及び詳細に様々な変更を行い得る点が理解されるであろう。
【００１９】
〔実施の態様〕
（１）  縫合糸巻取りスタイラスであって、
上面と、下面と、対向する前方側面及び後方側面とを有するベース部材と、
前記ベースに旋回式で装着されたスタイラス部材であって、近位端部と、遠位端部と、上面と、下面と、を有するスタイラス部材と、
前記スタイラス部材の前記遠位端部に装着されたスタイラスヘッド部材と、
前記スタイラス部材と係合するための、前記ベース部材と結合された付勢要素と、を含む、縫合糸巻取りスタイラス。
（２）  前記スタイラスは軸受けを更に含む、実施態様１に記載の縫合糸巻取りスタイラス。
（３）  前記付勢要素は圧縮ばねを含む、実施態様１に記載の縫合糸巻取りスタイラス。
（４）  前記付勢部材は、前記スタイラス部材の前記下面と係合するための先端部材を更に含む、実施態様３に記載の縫合糸巻取りスタイラス。
（５）  前記スタイラス部材は、前記スタイラス部材の前記遠位端部と結合されたスタイラスヘッドを更に含む、実施態様１に記載の縫合糸巻取りスタイラス。
【００２０】
（６）  前記スタイラスヘッドは、ある間隙を置いて分離されたノーズ部材とヒール部材とを含む、実施態様５に記載の縫合糸巻取りスタイラス。
（７）  縫合糸巻取り組立体であって、
巻取りチャネルを有する縫合糸トレーパッケージを受容するためのネスト部材と、
巻取りヘッドと、
前記巻取りヘッドと係合する縫合糸巻取りスタイラスであって、
上面と、下面と、対向する前方側面及び後方側面とを有するベース部材と、
前記ベース部材に旋回式で装着されたスタイラス部材であって、近位端部と、遠位端部と、上面と、下面と、を有するスタイラス部材と、
前記スタイラス部材と係合するための、前記ベース部材と結合された付勢要素と、を含む、縫合糸巻取りスタイラスと、を含む、縫合糸巻取り組立体。
（８）  前記スタイラスは軸受けを更に含む、実施態様７に記載の縫合糸巻取り組立体。
（９）  前記付勢要素は圧縮ばねを含む、実施態様７に記載の縫合糸巻取り組立体。
（１０）  前記付勢部材は、前記スタイラス部材の前記下面と係合するための先端部材を更に含む、実施態様９に記載の縫合糸巻取り組立体。
【００２１】
（１１）  前記スタイラス部材は、前記スタイラス部材の前記遠位端部と結合されたスタイラスヘッドを更に含む、実施態様７に記載の巻取り組立体。
（１２）  前記スタイラスヘッドは、ある間隙を置いて分離されたノーズ部材とヒール部材とを含む、実施態様１１に記載の巻取り組立体。
（１３）  縫合糸トレーの中に縫合糸を巻き取る方法であって、
ネスト部材の中に縫合糸チャネルを有する縫合糸トレーを装着することと、
前記縫合糸トラックの中に縫合糸巻取りスタイラスの一区間を挿入することであって、前記縫合糸巻取りスタイラスは、
上面と、下面と、対向する前方側面及び後方側面とを有するベース部材と、
前記ベース部材に旋回式で装着されたスタイラス部材であって、近位端部と、遠位端部と、上面と、下面とを有するスタイラス部材と、
前記スタイラス部材と係合するための、前記ベース部材と結合された付勢要素と、を含む、ことと、
巻取りヘッドに前記ネストを係合させて、前記ネスト部材及び前記パッケージを前記スタイラスに対して回転させ、それによって縫合糸が前記縫合糸チャネルの中に巻き取られるようにすることと、を含む、方法。
（１４）  前記スタイラスは軸受けを更に含む、実施態様１３に記載の方法。
（１５）  前記付勢要素は圧縮ばねを含む、実施態様１３に記載の方法。
【００２２】
（１６）  前記付勢部材は、前記スタイラス部材の前記下面と係合するための先端部材を更に含む、実施態様１５に記載の方法。
（１７）  前記スタイラス部材は、前記スタイラス部材の前記遠位端部と結合されたスタイラスヘッドを更に含む、実施態様１３に記載の方法。
（１８）  前記スタイラスヘッドは、ある間隙を置いて分離されたノーズ部材とヒール部材とを含む、実施態様１３に記載の方法。
【図１】
0006797832.tif 000002
【図２Ａ】
0006797832.tif 000003
【図２Ｂ】
0006797832.tif 000004
【図２Ｃ】
0006797832.tif 000005
【図２Ｄ】
0006797832.tif 000006
【図２Ｅ】
0006797832.tif 000007
【図２Ｆ】
0006797832.tif 000008
【図２Ｇ】
0006797832.tif 000009
【図２Ｈ】
0006797832.tif 000010
【図３】
0006797832.tif 000011
【図４】
0006797832.tif 000012
【図５】
0006797832.tif 000013
【図６】
0006797832.tif 000014
【図７】
0006797832.tif 000015